(57)【要約】【課題】企業における従業員等の血圧や脈拍等の健康データ（バイタルデータ）を自動的に計測してクラウドサーバに記録することが可能なＩｏＴ計測器を提供する。【解決手段】ユーザの顔を撮影するためのカメラと、ユーザが指を載置するための指載置部とを備え、インターネットを介してクラウドサーバ１０と情報のやりとりを行うＩｏＴ計測器２であって、カメラにより撮影された前記ユーザの顔を認識する顔認識部２５と、顔認識部２５により認識されたユーザの顔と、予め登録されている複数人の顔認証用データとの照合を行うことにより、ユーザの名前を判定するユーザ判定部２７と、指載置部に置かれたユーザの指から、当該ユーザの健康データを検出する健康データ検出部２８と、健康データ検出部２８で検出された健康データを、ユーザ判定部２７で判定されたユーザの名前と対応づけてクラウドサーバ１０に送信する健康データ送信部２９とを備える。【選択図】図３
2019058227.tif 000002
【特許請求の範囲】
【請求項１】
ユーザの顔を撮影するためのカメラと、前記ユーザが指を載置するための指載置部とを備え、インターネットを介してクラウドサーバと情報のやりとりを行うＩｏＴ計測器であって、
前記カメラにより撮影された前記ユーザの顔を認識する顔認識部と、
前記顔認識部により認識された前記ユーザの顔と、予め登録されている複数人の顔認証用データとの照合を行うことにより、前記ユーザの名前を判定するユーザ判定部と、
前記指載置部に置かれた前記ユーザの指から、当該ユーザの健康データを検出する健康データ検出部と、
前記ユーザ判定部で前記ユーザの名前が判定されたことをトリガーとして自動的に、前記健康データ検出部で検出された前記健康データを、前記ユーザ判定部で判定された前記ユーザの名前と対応づけて前記クラウドサーバに送信する健康データ送信部と、
を備えることを特徴とするＩｏＴ計測器。
【請求項２】
請求項１記載のＩｏＴ計測器がインターネットを介して情報のやりとりを行う前記クラウドサーバに構築される健康ＳＮＳプラットフォームであって、
前記ＩｏＴ計測器の健康データ送信部から送られた前記ユーザの名前に対応づけられた健康データ、または、前記健康ＳＮＳに参加するユーザの情報端末からインターネットを介して送信された前記ユーザの健康に関する情報を取得するデータ取得部と、
前記データ取得部が取得した、前記ユーザの名前に対応づけられた健康データ、または、前記ユーザの健康に関する情報を記憶するデータ記憶部と、
前記ＩｏＴ計測器からのデータ要求、または、前記ユーザの情報端末からの前記健康に関する検索要求を受け付ける要求取得部と、
前記要求取得部が受け付けた要求にしたがって、前記データ記憶部に記憶されている情報を加工するデータ加工部と、
前記データ加工部により加工された情報を、前記データ要求のあったＩｏＴ計測器、または、前記検索要求のあったユーザの情報端末に対して送信するデータ出力部と、
を備えることを特徴とする健康ＳＮＳプラットフォーム。
【請求項３】
請求項１記載のＩｏＴ計測器と、請求項２記載の健康ＳＮＳプラットフォームが構築されているクラウドサーバとによる健康サービスシステムであって、
前記クラウドサーバは、少なくとも医療データ、サプリメントに関するデータ、難病患者に関するデータが予め記憶されている各種データ記憶部を備え、
前記健康ＳＮＳプラットフォームのデータ記憶部から、それぞれのユーザの名前とその健康データとを対応づけたデータを取得する各種データ取得部と、
前記各種データ取得部が取得したデータそれぞれについて、それがどの項目に対するどのようなデータであるかを分析して整理するデータ分析整理部と、
前記データ分析整理部で整理されたデータについて、前記各種データ記憶部に記憶されている様々なデータを参照して解析を行うデータ解析部と、
データ解析部によって解析された解析結果を、前記健康ＳＮＳプラットフォームのデータ出力部に送信するデータフィードバック部と、
を備えることを特徴とする健康サービスシステム。
【発明の詳細な説明】
【技術分野】
【０００１】
この発明は、施設や工場等の共有場所において健康データ（バイタルデータ）を計測するＩｏＴ計測器、健康ＳＮＳプラットフォーム、および、健康サービスシステムに関するものである。
【背景技術】
【０００２】
近年では、医療の発達により、長寿化が進んでいるが、誰しも健康に長生きしたいと思っており、健康に関心がある人や、健康に関して悩んでいる人が多く、自身の健康データ（バイタルデータ）を計測するウェアラブルデバイスなども普及しつつある（例えば、特許文献1参照）。
【先行技術文献】
【特許文献】
【０００３】
【特許文献１】特開２０１３−２１２３１５号公報
【発明の概要】
【発明が解決しようとする課題】
【０００４】
一方、最近では、介護施設における利用者の健康管理や、企業における従業員の健康維持・保持・増進を行おうとする施設や企業が増えているが、施設や企業などが健康管理の促進をはかっても、利用者や従業員など各個人が毎日継続して健康データ（バイタルデータ）を計測するか否かには個人差があり、すべての人の健康データ（バイタルデータ）を毎日取得することはできず、健康管理が難しいという課題があった。
【０００５】
また、健康に関して悩んでいる人にとっては、健康データ（バイタルデータ）を計測して健康管理を行ったとしても、病気の患者やその家族などの健康に関する悩みや不安を解消することは難しいという課題もあった。
【０００６】
この発明は、上記のような課題を解決するためになされたものであり、介護施設における利用者や企業における従業員等の血圧、脈拍、心拍数などの健康データ（バイタルデータ）を自動的に計測してクラウドサーバに記録することが可能なＩｏＴ計測器、病気の患者やその家族などの健康に関する悩みや不安を解消することが可能な健康ＳＮＳプラットフォーム、および、健康サービスシステムを提供することを目的とする。
【課題を解決するための手段】
【０００７】
上記目的を達成するため、この発明は、ユーザの顔を撮影するためのカメラと、前記ユーザが指を載置するための指載置部とを備え、インターネットを介してクラウドサーバと情報のやりとりを行うＩｏＴ計測器であって、前記カメラにより撮影された前記ユーザの顔を認識する顔認識部と、前記顔認識部により認識された前記ユーザの顔と、予め登録されている複数人の顔認証用データとの照合を行うことにより、前記ユーザの名前を判定するユーザ判定部と、前記指載置部に置かれた前記ユーザの指から、当該ユーザの健康データを検出する健康データ検出部と、前記ユーザ判定部で前記ユーザの名前が判定されたことをトリガーとして自動的に、前記健康データ検出部で検出された前記健康データを、前記ユーザ判定部で判定された前記ユーザの名前と対応づけて前記クラウドサーバに送信する健康データ送信部と、を備えることを特徴とする。
【発明の効果】
【０００８】
この発明のＩｏＴ計測器によれば、ユーザは、このＩｏＴ計測器２の前に立って数秒間、指を置くだけで、自身の健康データ（バイタルデータ）が自動的にクラウドサーバ１０に送信されて記録されていくため、簡単に手間がかからず、継続的に自身の健康データ（バイタルデータ）を入力して、健康を管理することができるようになる。また、このＩｏＴ計測器２を、例えば企業の工場などに設置した場合には、企業はその工場で働く従業員の健康状態を管理して、健康維持・保持・増進を行い、医療費の適正化や生産性の向上、さらには企業イメージの向上等につなげることができる。また、勤務時間等との連携により、従業員の病気を早期に発見することも期待できる。
【図面の簡単な説明】
【０００９】
【図１】実施の形態１における健康サービスシステム全体の概略構成を示すシステム構成図である。
【図２】実施の形態１におけるＩｏＴ計測器の外観を示す外観図である。
【図３】実施の形態１におけるＩｏＴ計測器の内部構成を示すブロック図である。
【図４】実施の形態１におけるＩｏＴ計測器の動作を示すフローチャートである。
【図５】実施の形態１における健康ＳＮＳプラットフォームの内部構成を示すブロック図である。
【図６】実施の形態１における健康ＳＮＳプラットフォームの、ＩｏＴ計測器とのやりとりに関する動作を示すフローチャートである。
【図７】実施の形態１における健康サービスＡＩの内部機能を示すブロック図を、図５に示す健康ＳＮＳプラットフォームとの関係も含めて表した図である。
【図８】実施の形態１における健康サービスＡＩの動作を示すフローチャートである。
【発明を実施するための形態】
【００１０】
近年では、医療の発達により、長寿化が進んでいるが、誰しも健康に長生きしたいと思っており、健康に関心がある人や、健康に関して悩んでいる人は多い。また、障害者や難病患者にとっては、今後の症状の変化が読みにくいという不安や、治療法が確立していないため、効果的な治療法がわからないといった不安も多い。さらに、患者の家族にとっても、どのように情報を収集すればよいかわかないケースが多い。
【００１１】
一方、最近では、介護施設における利用者の健康管理や、企業における従業員の健康維持・保持・増進を行おうとする施設や企業が増えているが、施設や企業などが健康管理の促進をはかっても、利用者や従業員など各個人が毎日継続して健康データ（バイタルデータ）を計測するか否かには個人差があり、すべての人の健康データ（バイタルデータ）を毎日取得することはできず、健康管理が難しかった。
【００１２】
また、健康に関して悩んでいる人にとっては、健康データ（バイタルデータ）を計測して健康管理を行ったとしても、病気の患者やその家族などの健康に関する悩みや不安を解消することは難しかった。
【００１３】
そこで、この発明は、これらの悩みをすべて解決できるような、健康データ（バイタルデータ）を計測して記録することが可能なＩｏＴ計測器、および、病気の患者やその家族などの健康に関する悩みや不安を解消することが可能な健康サービスシステムに関するものである。
以下、この発明の実施の形態について、図面を参照しながら詳細に説明する。
【００１４】
実施の形態１．
図１は、この発明の実施の形態１における健康サービスシステム全体の概略構成を示すシステム構成図である。図中、破線で示す矢印は、インターネットを介した信号のやりとりを示している。この健康サービスシステム１は、クラウドサーバ１０を備え、インターネットを介して、介護施設や工場等の人が多く集まる場所に設置されているＩｏＴ計測器２（２ａ，２ｂ，・・・）や、個人のスマートフォンやパソコン等の情報端末３（３ａ，３ｂ，・・・）と接続されて使用されるシステムである。また、この発明の健康サービスシステム１において使用される健康ＳＮＳプラットフォーム１１（後述する図５参照）のプラットフォームまたはアプリケーションは、クラウドサーバ１０に構築されている。
【００１５】
図２は、この発明の実施の形態１におけるＩｏＴ計測器２の外観を示す外観図である。図２に示すように、このＩｏＴ計測器２は、少なくとも、ユーザの顔を撮影するためのカメラ２１と、ユーザが指を載置するための指載置部２２を備え、この実施の形態１では、さらに表示操作部２３を備えている。
【００１６】
図３は、この発明の実施の形態１におけるＩｏＴ計測器２の内部機能を示すブロック図である。図３に示すように、このＩｏＴ計測器２は、インターネットを介してクラウドサーバ１０と情報の通信を行うものであり、内部的には、顔認識部２５、登録済ユーザ記憶部２６、ユーザ判定部２７、健康データ検出部２８、健康データ送信部２９を備えている。ここで、登録済ユーザ記憶部２６には、予め複数人の顔認証用データが登録されている。すなわち、このＩｏＴ計測器２は、個人が着用して使用するウェアラブルデバイスとは異なり、個人専用に使用されるものではなく、介護施設や工場等の人が多く集まる場所に設置され、複数の人が使用することができる計測器である。
【００１７】
図４は、この発明の実施の形態１におけるＩｏＴ計測器２の動作を示すフローチャートである。このフローチャートに沿って、具体的な使用例と動作について説明する。
例えば、あるユーザがこのＩｏＴ計測器２の前に立ち、指載置部２２に指を置くと、カメラ２１がユーザの顔を撮影することにより、顔認識部２５がそのユーザの顔認識を行う（ステップＳＴ１）。なお、カメラによる顔認識の方式については、周知の技術であるため、ここでは詳細な説明を省略する。
【００１８】
次に、ユーザ判定部２７が、顔認識部２５により顔認識されたユーザの顔と、予め登録されて登録済ユーザ記憶部２６に記憶されている複数人の顔認証用データとの照合を行うことにより、顔認識されたユーザが誰であるか（ユーザの名前）を判定する（ステップＳＴ２）。このとき、ユーザ判定部２７が、例えば表示操作部２３に、「あなたは○○さんで間違いありませんか？」といった確認ダイアログを表示させ、ユーザによって「ＹＥＳ」や「確認」といったボタンが押されることによって、ユーザの判定は正しいと判断される（ステップＳＴ３のＹＥＳの場合）。また、もし間違っていた場合（ユーザによって「ＮＯ」や「再認識」というボタンが押されるなどすると）、ステップＳＴ１に戻って顔認識をやり直す（ステップＳＴ３のＮＯの場合）。
【００１９】
また、健康データ検出部２８は、指載置部２２に置かれたユーザの指から、そのユーザの血圧、心拍数、脈拍などの健康データ（バイタルデータ）を検出する（ステップＳＴ４）。なお、指を置くことにより健康データ（バイタルデータ）を検出する方式についても、周知の技術であるため、ここでは詳細な説明を省略する。
【００２０】
そして、健康データ送信部２９が、ユーザ判定部２７でユーザの名前が判定されたことをトリガーとして自動的に、健康データ検出部２８で検出された健康データ（バイタルデータ）を、ユーザ判定部２７で判定されたユーザの名前と対応づけて、クラウドサーバ１０の健康ＳＮＳプラットフォーム１１へ送信する（ステップＳＴ５）。
【００２１】
なお、この実施の形態1では、登録済ユーザ記憶部２６には、予め複数人の顔認証用データが登録されているものとして説明したが、各ユーザが初めてこのＩｏＴ計測器２を利用する一番最初のときだけ、顔認証用データを登録することができる機能をＩｏＴ計測器２が有しているようにしてもよい。
【００２２】
また、この実施の形態１では、ＩｏＴ計測器２が、予め複数人の顔認証用データが登録されている登録済ユーザ記憶部２６と、顔認識されたユーザが誰であるかを判定するユーザ判定部２７を備えるものとして説明したが、この２つの機能は、クラウドサーバ１０が備えるようにしてもよい。その場合には、ＩｏＴ計測器２が備えている登録済ユーザ記憶部２６とユーザ判定部２７は、クラウドサーバ１０が備える機能となり、ＩｏＴ計測器２は、クラウドサーバ１０に顔認証を要求する顔認証要求部と、クラウドサーバ１０が顔認証を行ってユーザ判定した結果を取得するユーザ名取得部とを備えることとなる。
【００２３】
図５は、この発明の実施の形態１における健康ＳＮＳプラットフォーム１１の内部機能を示すブロック図である。図５に示すように、この健康ＳＮＳプラットフォーム１１は、内部的には、データ取得部１２、データ記憶部１３、要求取得部１４、データ加工部１５、データ出力部１６を備えている。
【００２４】
図６は、この発明の実施の形態１における健康ＳＮＳプラットフォーム１１の動作を示すフローチャートである。このフローチャートに沿って、健康ＳＮＳプラットフォーム１１の、ＩｏＴ計測器２（２ａ，２ｂ，・・・）とのやりとりに関する具体的な動作について説明する。
【００２５】
例えば、ＩｏＴ計測器２から、あるユーザの名前と健康データ（バイタルデータ）が送信されると、データ取得部１２が、そのユーザの名前とその健康データ（バイタルデータ）を取得し（ステップＳＴ１１）、そのユーザの名前とその健康データ（バイタルデータ）とを対応づけてデータ記憶部１３に記憶する（ステップＳＴ１２）。
【００２６】
次に、要求取得部１４がＩｏＴ計測器２からデータ要求を取得すると（ステップＳＴ１３のＹＥＳの場合）、データ加工部１５は、データ記憶部１３に記憶されたデータに基づいて、そのユーザの毎日の血圧や脈拍等のデータをグラフ化するなど加工し（ステップＳＴ１４）、データ出力部１６が、データ加工部１５で加工されたデータをＩｏＴ計測器２に送信する（ステップＳＴ１５）。
【００２７】
なお、要求取得部１４が取得するデータ要求としては、ユーザがＩｏＴ計測器２により顔認証が行われてユーザ判定が行われたことをトリガーとしてデータ要求を取得するものであってもよいし、例えば、ＩｏＴ計測器２の表示操作部２３に「データ要求」ボタンなどを表示し、ユーザによりそのボタンが押されたことをトリガーとしてデータ要求を取得するものであってもよい。
【００２８】
このように、ユーザは、ＩｏＴ計測器２の前に立って数秒間、指を置くだけで、自身の健康データ（バイタルデータ）が自動的にクラウドサーバ１０に送信されて記録されていくため、簡単に手間がかからず、継続的に自身の健康データ（バイタルデータ）を入力して、健康を管理することができるようになる。
【００２９】
また、このＩｏＴ計測器２を、例えば企業の工場などに設置した場合には、企業はその工場で働く従業員の健康状態を管理して、健康維持・保持・増進を行い、医療費の適正化や生産性の向上、さらには企業イメージの向上等につなげることができる。また、勤務時間等との連携により、従業員の病気を早期に発見することも期待できる。
【００３０】
さらに、顔認証が行われてユーザ判定が行われた時点で、または、ユーザがデータ要求ボタンなどを押したことにより、クラウドサーバ１０に記録されているそのユーザの健康データ（バイタルデータ）がグラフ化されてＩｏＴ計測器２の表示操作部２３に表示されるようにすれば、ユーザ自身が、毎日の健康状況を簡単に把握することができるとともに、ユーザが毎日ＩｏＴ計測器２の前に立って健康チェックを行おうというモチベーションにもつながる。なお、ユーザ自身の健康データ（バイタルデータ）がグラフ化されたものの表示については、ユーザ個人のスマートフォンやパソコン等の情報端末において行うようにしてもよい。
【００３１】
また、この実施の形態１では、健康データ検出部２８が検出する健康データ（バイタルデータ）として、血圧、心拍数、脈拍などを例として説明したが、その他、例えば血中酸素濃度や血液粘度ほか、このＩｏＴ計測器２が体温検出機能（例えば、このＩｏＴ計測器２に有線で接続された体温計をユーザが耳に入れるとか、このＩｏＴ計測器２にユーザが顔を近づけるとユーザの額から体温を検出するなどの機能）を備えるようにすれば、ユーザの体温を検出することも可能である。
【００３２】
一方、現在、知られている一般的なＳＮＳ（フェイスブック（登録商標）やツイッタ―（登録商標）など）や、個人のブログにおいて、健康や病気についての書き込みがされているものは多数あるが、ある病気や症状に特化して検索することは難しく、また、一般的なブラウザの検索機能を用いた場合には、有名人、著名人、芸能人などの特定の一部の人の投稿はヒットするものの、一般ユーザの投稿はあまりヒットしてこないため、一般の同じ症状の人たちと情報を共有することは難しかった。
【００３３】
しかし、この実施の形態１の健康ＳＮＳに登録すれば、ユーザは、個人のスマートフォンやパソコン等の情報端末３（３ａ，３ｂ，・・・）を介して、この健康ＳＮＳプラットフォーム１１に、自身の病気のことや症状、悩み、その病気に関する過去の治療や経験、気づいたこと等、健康に関することや生活習慣なども含めた様々なストーリー（自分だけのストーリー）を書き込むことができる。また、自身の血圧計や体温計等で計測した血圧、脈拍、体温等の健康データ（バイタルデータ）を数値入力することも可能である。また、患者自身のことだけではなく、患者の家族が書き込むことも可能である。そして、この健康ＳＮＳプラットフォーム１１において、様々な検索を行うことができる。
【００３４】
この健康ＳＮＳプラットフォーム１１の内部機能を示すブロック図は、図５に示すブロック図のとおりであり、健康ＳＮＳプラットフォーム１１の動作を示すフローチャートは、図６に示すフローチャートと同じであるが、このフローチャートに沿って、健康ＳＮＳプラットフォーム１１の、情報端末３（３ａ，３ｂ，・・・）とのやりとりに関する具体的な動作について説明する。
【００３５】
例えば、あるユーザのスマートフォンやパソコン等の情報端末３（ここでは、情報端末３ａとする）から、そのユーザの病気のことや症状、悩み、その病気に関する過去の治療や経験、気づいたこと等、健康に関することや生活習慣なども含めた様々なストーリーが書き込まれると、データ取得部１２が、そのユーザが書き込んだ内容を取得し（ステップＳＴ１１）、病名、症状、治療法、悩み等のキーワードと対応づけてデータ記憶部１３に記憶する（ステップＳＴ１２）。
【００３６】
次に、要求取得部１４が情報端末３（これは、他の情報端末３ｂであってもよい）からデータ要求を取得すると（ステップＳＴ１３のＹＥＳの場合）、データ加工部１５は、データ記憶部１３に記憶されたデータに基づいて、要求取得部１４が取得したデータ要求にしたがってデータを検索してリスト化する等の加工を施し（ステップＳＴ１４）、データ出力部１６が、データ加工部１５で加工されたデータを、データ要求のあった情報端末３に送信する（ステップＳＴ１５）。
【００３７】
なお、この場合に要求取得部１４が取得するデータ要求としては、ユーザが情報端末３を介して入力した病名、症状、治療法、悩み等の検索要求や、健康に関する思考（ダイエット、サプリメント、健康法など）の閲覧要求など、ユーザが知りたいと思った情報に関するどのような要求であってもよい。すなわち、この健康ＳＮＳプラットフォーム１１は、ＳＮＳ内検索機能も有するものであり、病名、障害者であるか否か、難病患者であるか否か、悩みの種類等に応じて、様々な検索を行うことが可能なプラットフォーム（またはアプリケーション）である。
【００３８】
現在、一般的なＳＮＳやブログに個人の病気のことや健康に関して書いている人や、パラリンピックに出場する選手、大きな病気にかかったことがある芸能人など、いろいろな人たちの体験談が公開されているが、一般的なブラウザ検索では、一部の有名な人の書き込みしかヒットしないため、同じような悩みをかかえた人たちがたくさんいるということがわからなかったり、同じ症状の人たちと情報を共有したりすることができなかったが、この発明の健康ＳＮＳプラットフォーム１１を用いれば、様々な経験や意見を参考にすることができ、同じ症状の人たちとの情報共有も可能になるため、今後の進行を予測できたり、精神的に励まされたり、同じような悩みをかかえた難病患者は自分だけじゃないという安心感を得られたり、同じ境遇の人や家族の状況などを知って励まし合ったり分かり合えたり勇気をもらえるなど、精神面でのケアに関する様々な効果が期待できる。
【００３９】
この際、会話形式での入力方法を採用することにより、ユーザがより楽しく入力することが可能となる。また、データ加工部１５で加工されるデータとしては、自身の健康データ（バイタルデータ）をグラフ化したもの以外に、ユーザがデータ入力したことに対して毎日ポイントが加算されていくポイントや、この健康ＳＮＳで友達になった人のデータとの比較結果表示など、ゲーミフィケーション化されたものが出力されるようにする。これにより、ユーザは、例えばグラフ化されたものを見て、自身の健康データ（バイタルデータ）の数値が良くなっていっていることを認識したり、ポイントが加算されていく楽しみがあったり、友達との比較により競争することができたりするので、毎日継続してデータ入力しようという気になりやすくなる、という効果が期待できる。
【００４０】
さらに、図７に示すように、クラウドサーバ１０が、データを解析してフィードバックする健康サービスＡＩ（人工知能）１００を備えるようにすれば、ユーザに対してさらに有効な情報や適切なアドバイスを与えることも可能である。図７は、この発明の実施の形態１における健康サービスＡＩ１００の内部機能を示すブロック図を、図５に示す健康ＳＮＳプラットフォーム１１との関係も含めて表した図である。この健康サービスＡＩ１００は、内部的に、各種データ取得部１０１、データ分析整理部１０２、各種データ記憶部１０３、データ解析部１０４、および、データフィードバック部１０５を備えている。
【００４１】
図８は、この発明の実施の形態１における健康サービスＡＩ１００の動作を示すフローチャートである。このフローチャートに沿って、健康サービスＡＩ１００の、健康ＳＮＳプラットフォーム１１とのやりとりに関する具体的な動作について説明する。
【００４２】
まず初めに、各種データ取得部１０１が、健康ＳＮＳプラットフォーム１１のデータ記憶部１３から、それぞれのユーザの名前とその健康データ（バイタルデータ）とを対応づけたデータを取得する（ステップＳＴ２１）。
次に、データ分析整理部１０２が、各種データ取得部１０１が取得したデータそれぞれについて、それがどの項目に対するどのようなデータであるかを分析して整理する（ステップＳＴ２２）。
【００４３】
そして、データ分析整理部１０２で分析・整理されたデータについて、データ解析部１０４が、各種データ記憶部１０３に記憶されている医療データ、サプリメントに関するデータ、痩せたい人用のデータ、難病患者のデータなどの様々なデータを参照して解析を行う（ステップＳＴ２３）。
【００４４】
この際、データ分析整理部１０２において整理されたデータのうち、健康データ（バイタルデータ）がたとえ同じ内容であったとしても、難病患者なのかどうかや、年齢、生活習慣（喫煙や飲酒など）の違いなどによって、そのユーザにアドバイスする解析結果は異なるものとなる。なお、各種データ記憶部１０３に記憶されている情報は、予め用意されているものであってもよいし、定期的に情報収集を行って更新されていくものであってもよい。ただし、最新の情報が数多くあればあるほど、解析の精度が上がるので、より多くの最新の情報を用いることが望ましい。
【００４５】
最後に、データフィードバック部１０５が、データ解析部１０４によって解析された解析結果を、健康ＳＮＳプラットフォーム１１のデータ出力部１６に送信（フィードバック）する（ステップＳＴ２４）ことにより、ユーザが使用するスマートフォンやパソコン等の情報端末３に送信される。
【００４６】
この解析結果としては、例えば「今の生活を続けると、あなたの寿命は○○歳です」とか「もう少しお酒を控えめにするとよいでしょう」とか「毎日○ｋｍ歩くように心がけましょう」など、様々なアドバイスを与えるようなものであり、健康な人に対しても、例えばオススメのサプリメントを紹介することなどもでき、健康サービスＡＩ１００を介することにより、それぞれのユーザが健康に関する適切な情報をフィードバックしてもらうことができる。
【００４７】
以上のように、この実施の形態１のＩｏＴ計測器２によれば、ユーザは、このＩｏＴ計測器２の前に立って数秒間、指を置くだけで、自身の健康データ（バイタルデータ）が自動的にクラウドサーバ１０に送信されて記録されていくため、簡単に手間がかからず、継続的に自身の健康データ（バイタルデータ）を入力して、健康を管理することができるようになる。また、このＩｏＴ計測器２を、例えば企業の工場などに設置した場合には、企業はその工場で働く従業員の健康状態を管理して、健康維持・保持・増進を行い、医療費の適正化や生産性の向上、さらには企業イメージの向上等につなげることができる。また、勤務時間等との連携により、従業員の病気を早期に発見することも期待できる。
【００４８】
また、この実施の形態１の健康ＳＮＳプラットフォーム１１を備えた健康サービスシステム１によれば、ユーザは、様々な経験や意見を参考にすることができ、同じ症状の人たちとの情報共有も可能になるため、今後の進行を予測できたり、精神的に励まされたり、同じような悩みをかかえた難病患者は自分だけじゃないという安心感を得られたり、同じ境遇の人や家族の状況などを知って励まし合ったり分かり合えたり勇気をもらえるなど、精神面でのケアに関する様々な効果が期待できる。さらに、会話形式での入力方法を採用することにより、ユーザがより楽しく入力することが可能になるとともに、ゲーミフィケーション化されたものが出力されることにより、例えばグラフ化されたものを見て、自身の健康データ（バイタルデータ）の数値が良くなっていっていることを認識したり、ポイントが加算されていく楽しみがあったり、友達との比較により競争することができたりするので、毎日継続してデータ入力しようという気になりやすくなる、という効果が期待できる。
【００４９】
また、この実施の形態１の健康ＳＮＳプラットフォーム１１および健康サービスＡＩ１００を備えた健康サービスシステム１によれば、健康サービスＡＩ１００を介することにより、それぞれのユーザが健康に関する適切な情報をフィードバックしてもらうことができる。
【００５０】
なお、本願発明はその発明の範囲内において、実施の形態の任意の構成要素の変形、もしくは実施の形態の任意の構成要素の省略が可能である。
【符号の説明】
【００５１】
１  健康サービスシステム
２，２ａ，２ｂ，・・・  ＩｏＴ計測器
３，３ａ，３ｂ，・・・  情報端末
１０  クラウドサーバ
１１  健康ＳＮＳプラットフォーム
１２  健康ＳＮＳプラットフォーム１１のデータ取得部
１３  健康ＳＮＳプラットフォーム１１のデータ記憶部
１４  健康ＳＮＳプラットフォーム１１の要求取得部
１５  健康ＳＮＳプラットフォーム１１のデータ加工部
１６  健康ＳＮＳプラットフォーム１１のデータ出力部
２１  ＩｏＴ計測器２（２ａ，２ｂ，・・・）のカメラ
２２  ＩｏＴ計測器２（２ａ，２ｂ，・・・）の指載置部
２３  ＩｏＴ計測器２（２ａ，２ｂ，・・・）の表示操作部
２５  ＩｏＴ計測器２（２ａ，２ｂ，・・・）の顔認識部
２６  ＩｏＴ計測器２（２ａ，２ｂ，・・・）の登録済ユーザ記憶部
２７  ＩｏＴ計測器２（２ａ，２ｂ，・・・）のユーザ判定部
２８  ＩｏＴ計測器２（２ａ，２ｂ，・・・）のデータ検出部
２９  ＩｏＴ計測器２（２ａ，２ｂ，・・・）のデータ送信部
１００  健康サービスＡＩ（人工知能）
１０１  健康サービスＡＩ１００の各種データ取得部
１０２  健康サービスＡＩ１００のデータ分析整理部
１０３  健康サービスＡＩ１００の各種データ記憶部
１０４  健康サービスＡＩ１００のデータ解析部
１０５  健康サービスＡＩ１００のデータフィードバック部
【図１】
2019058227.tif 000003
【図２】
2019058227.tif 000004
【図３】
2019058227.tif 000005
【図４】
2019058227.tif 000006
【図５】
2019058227.tif 000007
【図６】
2019058227.tif 000008
【図７】
2019058227.tif 000009
【図８】
2019058227.tif 000010